(57)【特許請求の範囲】
【請求項１】
シャーシに所定の方向へ移動自在に支持されると共に対物レンズを有する光学ピックアップと、
前記シャーシの外縁の外側に配置された中間部と前記中間部の上縁から前方へ突出された上側取付部とからなり、一端部に前記光学ピックアップが取り付けられ、一対の第１の調整孔（３８ａ、３８ｂ）を有する連結部材と、
ヘッド取付アームの一端部に取り付けられた磁気ヘッドと、前記連結部材の他端部に取り付けられ前記シャーシを挟んで前記光学ピックアップの反対側に対向して配置され、前記対物レンズと前記磁気ヘッドとの位置合わせを行う前記連結部材に対する前記磁気ヘッドの取付位置を調整する調整部とを有する磁気ヘッド部とを備え、
前記調整部は、前記第１の調整孔と同じ径である長孔状の第２の調整孔（２７ａ、３０ａ）と前記第１の調整孔より径が小さい第３の調整孔（２７ｂ、３０ｂ）を有し、前記第２の調整孔及び前記第３の調整孔によってそれぞれ規定される２本の調整軸の位置を前記一対の第１の調整孔内において変更して前記ヘッド取付アームを前記上側取付部に対して回動させて移動させるように、かつ、前記ヘッド取付アームを前記上側取付部に対して前後に移動させるようにして前記連結部材に対する前記磁気ヘッドの取付位置を調整する
ことを特徴とするディスク記録装置。
【請求項２】
シャーシに所定の方向へ移動自在に支持され対物レンズを有する光学ピックアップが一端部に取り付けられると共に、前記シャーシの外縁の外側に配置された中間部と前記中間部の上縁から前方へ突出された上側取付部とからなり、一端部に前記光学ピックアップが取り付けられ、一対の第１の調整孔（３８ａ、３８ｂ）を有する連結部材と、
ヘッド取付アームの一端部に取り付けられた磁気ヘッドと、前記連結部材の他端部に取り付けられ前記シャーシを挟んで前記光学ピックアップの反対側に対向して配置され、前記対物レンズと前記磁気ヘッドとの位置合わせを行う前記連結部材に対する前記磁気ヘッドの取付位置を調整する調整部とを有する磁気ヘッド部とを備え、
前記調整部は、前記第１の調整孔と同じ径である長孔状の第２の調整孔（２７ａ、３０ａ）と前記第１の調整孔より径が小さい第３の調整孔（２７ｂ、３０ｂ）を有し、前記第２の調整孔及び前記第３の調整孔によってそれぞれ規定される２本の調整軸の位置を前記一対の第１の調整孔内において変更して前記ヘッド取付アームを前記上側取付部に対して回動させて移動させるように、かつ、前記ヘッド取付アームを前記上側取付部に対して前後に移動させるようにして前記連結部材に対する前記磁気ヘッドの取付位置を調整する
ことを特徴とする磁気ヘッド駆動機構。
【発明の詳細な説明】
【０００１】
【発明の属する技術分野】
本発明はディスク記録装置及び磁気ヘッド駆動機構に関する。詳しくは、ディスク状記録媒体に対して情報信号の記録を行うディスク記録装置及びこれに用いられる磁気ヘッド駆動機構についての技術に関する。
【０００２】
【従来の技術】
ディスク状記録媒体に対して情報信号の記録を行うことができるディスク記録装置がある。このようなディスク記録装置にあっては、光学ピックアップの対物レンズと磁気ヘッド部の磁気ヘッドとがシャーシを挟んで互いに対向して位置され、ディスク状記録媒体に対して、一方の側から対物レンズを介してレーザー光が照射されると共に反対側から磁気ヘッドを介して磁界が印加されて情報信号の記録が為されるようになっている。
【０００３】
図１０にディスク記録装置の内部構造の一部を示す。
【０００４】
ディスク記録装置は外筐ａ内に所要の各部材が配置されて成り、シャーシｂに光学ピックアップｃがディスク状記録媒体の半径方向へ移動自在に支持されている。光学ピックアップｃは、移動ベースｄと該移動ベースｄ上に支持された２軸アクチュエーターｅとを有し、２軸アクチュエーターｅには対物レンズｆが設けられている。
【０００５】
磁気ヘッド部ｇは、板バネ状のヘッド取付アームｈと該ヘッド取付アームｈの一端部に設けられた磁気ヘッドｉとを有し、連結部材ｊを介して光学ピックアップｃの移動ベースｄと連結されている。
【０００６】
連結部材ｊは縦断面形状で略コ字状を為し、垂直方向に延びる中間部ｋと該中間部ｋの上縁から水平方向に突出された上側取付部ｌと中間部ｋの下縁から上側取付部ｌと同じ方向へ突出された下側取付部ｍとが一体に形成されている。
【０００７】
光学ピックアップｃの移動ベースｄは、その後端部が連結部材ｊの下側取付部ｍに取り付けられ、磁気ヘッド部ｇのヘッド取付アームｈの後端部が連結部材ｊの上側取付部ｌに取り付けられる。そして、この状態で連結部材ｊは中間部ｋがシャーシｂの後縁と外筐ａとの間に位置され、光学ピックアップｃの移動ベースｄがシャーシｂの下面側に位置されると共に磁気ヘッド部ｇがシャーシｂの上面側に位置される。
【０００８】
このようなディスク記録装置にあっては、情報信号の適正な記録動作を行うために、光学ピックアップｃの対物レンズｆを介して照射されるレーザー光の光路に対応する位置に磁気ヘッド部ｇの磁気ヘッドｉが配置されるように対物レンズｆと磁気ヘッドｉとの位置合わせを行う必要がある。
【０００９】
従来の位置合わせ作業は、先ず、磁気ヘッド部ｇを連結部材ｊの上側取付部ｌに取り付け、この状態で対物レンズｆを介して照射されるレーザー光の光路に対応する位置に磁気ヘッドｉが位置されるように、シャーシｂの下面側に支持されている光学ピックアップｃの移動ベースｄに対して連結部材ｊを図１０に示すＡ方向へ適宜移動させて行っている。
【００１０】
【発明が解決しようとする課題】
ところが、連結部材ｊはシャーシｂの後縁と外筐ａとの間に位置されるため、移動ベースｄに対して磁気ヘッド部ｇが取り付けられた連結部材ｊの位置を調整する上記した従来の方法では、シャーシｂと外筐ａとの間に図１０に示す調整範囲分の間隔Ｍを予め設けておく必要があり、その分ディスク記録装置の外形、即ち、前後方向における幅が大きくなり、ディスク記録装置の小型化を阻む要因となっていた。
【００１１】
そこで、本発明ディスク記録装置及び磁気ヘッド駆動機構は、上記した問題点を克服し、光学ピックアップと磁気ヘッド部との位置合わせのための調整作業を改善してディスク記録装置の小型化を図ることを課題とする。
【００１２】
【課題を解決するための手段】
本発明ディスク記録装置は、上記した課題を解決するために、シャーシに所定の方向へ移動自在に支持されると共に対物レンズを有する光学ピックアップと、前記シャーシの外縁の外側に配置された中間部と前記中間部の上縁から前方へ突出された上側取付部とからなり、一端部に前記光学ピックアップが取り付けられ、一対の第１の調整孔（３８ａ、３８ｂ）を有する連結部材と、ヘッド取付アームの一端部に取り付けられた磁気ヘッド、及び、前記連結部材の他端部に取り付けられ前記シャーシを挟んで前記光学ピックアップの反対側に対向して配置され、前記対物レンズと前記磁気ヘッドとの位置合わせを行う前記連結部材に対する前記磁気ヘッドの取付位置を調整する調整部を有する磁気ヘッド部とを備え、前記調整部は、前記第１の調整孔と同じ径である長孔状の第２の調整孔（２７ａ、３０ａ）と前記第１の調整孔より径が小さい第３の調整孔（２７ｂ、３０ｂ）を有し、前記第２の調整孔及び前記第３の調整孔によってそれぞれ規定される２本の調整軸の位置を前記一対の第１の調整孔内において変更して前記ヘッド取付アームを前記上側取付部に対して回動させて移動させるように、かつ、前記ヘッド取付アームを前記上側取付部に対して前後に移動させるようにして前記連結部材に対する前記磁気ヘッドの取付位置を調整するものである。
【００１３】
また、本発明磁気ヘッド駆動機構は、上記した課題を解決するために、シャーシに所定の方向へ移動自在に支持され対物レンズを有する光学ピックアップが一端部に取り付けられると共に、前記シャーシの外縁の外側に配置された中間部と前記中間部の上縁から前方へ突出された上側取付部とからなり、一端部に前記光学ピックアップが取り付けられ、一対の第１の調整孔（３８ａ、３８ｂ）を有する連結部材と、ヘッド取付アームの一端部に取り付けられた磁気ヘッド、及び、前記連結部材の他端部に取り付けられ前記シャーシを挟んで前記光学ピックアップの反対側に対向して配置され、前記対物レンズと前記磁気ヘッドとの位置合わせを行う前記連結部材に対する前記磁気ヘッドの取付位置を調整する調整部を有する磁気ヘッド部とを備え、前記調整部は、前記第１の調整孔と同じ径である長孔状の第２の調整孔（２７ａ、３０ａ）と前記第１の調整孔より径が小さい第３の調整孔（２７ｂ、３０ｂ）を有し、前記第２の調整孔及び前記第３の調整孔によってそれぞれ規定される２本の調整軸の位置を前記一対の第１の調整孔内において変更して前記ヘッド取付アームを前記上側取付部に対して回動させて移動させるように、かつ、前記ヘッド取付アームを前記上側取付部に対して前後に移動させるようにして前記連結部材に対する前記磁気ヘッドの取付位置を調整するものである。
【００１４】
従って、本発明ディスク記録装置及び磁気ヘッド駆動機構にあっては、シャーシの外縁の外側に予め調整範囲分のスペースを設けておく必要がない。
【００１５】
【発明の実施の形態】
以下に、本発明の実施の形態を添付図面を参照して説明する。
【００１６】
尚、以下に示した実施の形態は、本発明を光磁気ディスクに対して情報信号の記録及び再生を行うことができる光磁気ディスク記録装置に適用したものである。
【００１７】
光磁気ディスク記録装置１は外筐２内に所要の各部材及び各機構が設けられて成り、外筐２は上方に開口された薄い箱状を為す本体ケース３と該本体ケース３に回動自在に支持され本体ケース３の上面を開閉するカバー体４とから成る（図１参照）。
【００１８】
外筐２の所定の位置には、所定の各操作を行うための操作摘子２ａ、２ａ、・・・が設けられ、開閉用の操作摘子２ａをスライド操作することによりカバー体４が回動されて本体ケース３の上面が開放されるようになっている。
【００１９】
本体ケース２内にはシャーシ５が配置され、該シャーシ５の略中央部にはスピンドルモーター６が取り付けられている（図３参照）。そして、スピンドルモーター６のモーター軸の上端部には、シャーシ５から上方へ突出された状態でディスクテーブル７が固定されている（図２参照）。
【００２０】
シャーシ５には配置孔５ａが形成され、該配置孔５ａ内にシャーシ５に支持された光学ピックアップ８の一部が配置されている（図３参照）。光学ピックアップ８は移動ベース９上に２軸アクチュエーター１０が支持されて成り、該２軸アクチュエーター１０は対物レンズ１０ａを有している（図２参照）。
【００２１】
移動ベース９は配置孔５ａ内に配置される本体部１１と該本体部１１から後方へ突出された被取付部１２とが一体に形成されて成る。そして、被取付部１２の下面には下方へ突出された位置決め突部１２ａ、１２ａが前後に離間して形成され、該位置決め突部１２ａ、１２ａの間の位置には、前後に離間して取付螺孔１２ｂ、１２ｂが形成されている（図７参照）。また、本体部１１の前後両端部には軸受部１１ａ、１１ｂが形成されている（図３参照）。
【００２２】
光学ピックアップ８は移動ベース９の軸受部１１ａ、１１ｂが、それぞれシャーシ５に支持されたガイド軸１３とリードスクリュー１４とに支持され、ディスクテーブル７に装着される光磁気ディスクの半径方向へ移動可能とされている（図３参照）。
【００２３】
ガイド軸１３はシャーシ５に一体に形成された軸受部５ｂ、５ｂに回転自在に支持され、シャーシ５の下面側に設けられた駆動モーター１５の駆動力によって回転可能とされている。尚、ガイド軸１３が駆動モーター１５によって回転されると、シャーシ５の側面部に支持された図示しないスライドレバーが前後方向へ移動されるようになっている。
【００２４】
リードスクリュー１４には一端側の部分と他端部を除いた部分が螺溝部１４ａとして形成され、一端部にはウォーム１６が圧入されて取り付けられている。
【００２５】
リードスクリュー１４は一端寄りの部分と他端部とが軸受部材１７、１８によって回転自在に支持され（図４参照）、該軸受部材１７、１８はともに金属材料、例えば、焼結性の金属材料によって形成されている。このような焼結性の金属材料としては、銅系、鉄系、アルミニウム系等の材料があり、焼結性の金属材料は加工精度が高いと共に加工が比較的簡単であるという特徴を有する。
【００２６】
軸受部材１７は下方及び一方の側方に開口した軸受部１７ａとシャーシ５に取り付けられる被取付部１７ｂとが一体に形成されて成り、被取付部１７ｂに螺孔１７ｃが形成されている。
【００２７】
軸受部材１８は下方へ開口した溝状に形成された軸受部１８ａとシャーシ５に取り付けられる被取付部１８ｂとが一体に形成されて成り、被取付部１８ｂに螺孔１８ｃが形成されている。
【００２８】
リードスクリュー１４は、光学ピックアップ８の軸受部１１ｂを挿通された状態で、他端部が軸受部材１７の軸受部１７ａに挿入されると共に一端寄りの部分が軸受部材１８の軸受部１８ａに挿入されて支持される。そして、軸受部材１７、１８は、螺孔１７ｃ、１８ｃにそれぞれ取付ネジ１９ａ、１９ｂが螺合され、シャーシ５に加締めによって固定されダイキャストによって形成された図示しない取付台を介してシャーシ５に取り付けられる。
【００２９】
取付ネジ１９ａ、１９ｂが螺孔１７ｃ、１８ｃに螺合されると、軸受部材１７及び軸受部材１８の一部が取付ネジ１９ａ、１９ｂの頭部によって下方から覆われた状態となり、これによりリードスクリュー１４の軸受部材１７及び軸受部材１８からの脱落が防止される。
【００３０】
シャーシ５には、軸受部材１８の側方に予圧バネ２０が取り付けられ、該予圧バネ２０がリードスクリュー１４の一端に弾接されて軸受部材１８が軸受部材１７側へ付勢されている。
【００３１】
光学ピックアップ８の下面には板バネ状のバネ部材２１が取り付けられ、該バネ部材２１にはナット部２１ａが一体に形成されている。そして、バネ部材２１はナット部２１ａがリードスクリュー１４の螺溝部１４ａに弾接されて螺合されている。
【００３２】
シャーシ５には扁平モーター２２が配置されており、該扁平モーター２２の駆動力が伝達ギヤ列２２ａを介してウォーム１６に伝達されてリードスクリュー１４が回転される。リードスクリュー１４が回転されると、螺溝部１４ａに螺合されているバネ部材２１のナット部２１ａがリードスクリュー１４の軸方向へ送られ、これにより光学ピックアップ８が光磁気ディスクの半径方向へ移動される。
【００３３】
光学ピックアップ８は、リードスクリュー１４のシャーシ５に対する良好な位置精度を確保することにより、シャーシ５に対する位置精度が確保されている。即ち、光磁気ディスク記録装置１にあっては、光学ピックアップ８のシャーシ５に対する良好な位置精度を確保する位置決定手段としてリードスクリュー１４を用いている。従って、従来のように、２つのガイド軸を設けて、そのうちの１つを光学ピックアップ８の位置精度を確保するために利用する場合に比し、部品点数の削減を図ることができると共に設計上の位置精度の考慮の負担が少なく、製造コストの低減を図ることができる。
【００３４】
リードスクリュー１４の良好な位置精度の確保は、シャーシ５に対する軸受部材１７、１８の位置精度を確保することにより行っている。上記のように、軸受部材１７、１８はシャーシ５とは別部材として形成されると共に金属材料によって形成されていることから、良好な加工精度を確保することができると共にシャーシ５に対する良好な位置精度を確保することができるため、リードスクリュー１４及び光学ピックアップ８のシャーシ５に対する良好な位置精度を確保することができる。
【００３５】
また、良好な位置精度を確保することにより、回転時にリードスクリュー１４に生じる負荷が小さく、扁平モーター２２としてトルクの小さな小型のモータを用いることができる。
【００３６】
さらに、取付ネジ１９ａ、１９ｂを用いて軸受部材１７、１８をシャーシ５に取り付けているため、例えば、接着によって軸受部材１７、１８をシャーシ５に取り付ける場合に比し、取り付けが簡単であると共に安価に取り付けを行うことができ、作業性の向上及び製造コストの低減を図ることができる。
【００３７】
シャーシ５には光磁気ディスクを保持するためのホルダー２３が後端部を支点として回動自在に支持され、該ホルダー２３にはシャーシ５の配置孔５ａに対応する位置に開口２３ａが形成されている（図３及び図５参照）。そして、ホルダー２３の上面にはヘッドシフト板２４が略上下方向へ回動自在に支持され、該ヘッドシフト板２４は開口２３ａの後側開口縁に寄って位置されている（図２及び図５参照）。
【００３８】
磁気ヘッド２５はヘッド取付アーム２６の一端部に取り付けられ、該ヘッド取付アーム２６は薄い板状の弾性を有する金属材料によって形成されている（図６参照）。そして、ヘッド取付アーム２６は横長の略矩形状を為す被取付部２７と該被取付部２７から前方へ突出された前後方向に長い延設部２８とが一体に形成されて成り、延設部２８の前端部に磁気ヘッド２５が取り付けられている（図６及び図７参照）。
【００３９】
被取付部２７には、左右に離間して調整孔２７ａ、２７ｂが形成され、左側の調整孔２７ａは左右に長い長孔状に形成されている。そして、調整孔２７ａ、２７ｂ間には挿通孔２７ｃが形成され、該挿通孔２７ｃの径は調整孔２７ａの径と同じにされ、調整孔２７ｂの径より大きくされている。
【００４０】
アーム支持板２９は基部２９ａと該基部２９ａから前方へ突出された平面形状でＬ字状を為す持ち上げ部２９ｂと基部２９ａの左右両端部から後方へ突出された被支持部２９ｃ、２９ｃとが薄い板状の金属材料によって一体に形成され（図６参照）、基部２９ａがヘッド取付アーム２６の延設部２８の後端寄りの部分に上側から溶接されている。そして、このように溶接された状態において、ヘッド取付アーム２６の被取付部２７の前縁がアーム支持板２９の被支持部２９ｃ、２９ｃの先端部を上側から覆った状態とされる。
【００４１】
補強板３０は板状の金属材料によって横長の略矩形状に形成され、ヘッド取付アーム２６の被取付部２７に形成された調整孔２７ａ、２７ｂ、挿通孔２７ｃと同じ位置同じ大きさの調整孔３０ａ、３０ｂ、挿通孔３０ｃを有している（図７参照）。そして、補強板３０は、調整孔３０ａ、３０ｂ、挿通孔３０ｃを調整孔２７ａ、２７ｂ、挿通孔２７ｃに対応させてヘッド取付アーム２６の被取付部２７に上側から溶接されている。
【００４２】
付勢板３１は、横長の略矩形状を為す被取付部３２と該被取付部３２から前方へ突出された付勢部３３と被取付部３２の左右両側縁からそれぞれ下方へ突出された結合部３４、３４とが弾性を有する板状の金属材料によって一体に形成されて成る（図７参照）。被取付部３２には、ヘッド取付アーム２６の被取付部２７に形成された調整孔２７ａ、２７ｂ、挿通孔２７ｃに対応する位置に挿入孔３２ａ、３２ａ、３２ａが形成され、該挿入孔３２ａ、３２ａ、３２ａの径は挿通孔２７ｃと同じ径に形成されている。そして、結合部３４、３４には、それぞれ前後方向に長い係合孔３４ａ、３４ａが形成されている。
【００４３】
上記磁気ヘッド２５が取り付けられたヘッド取付アーム２６、アーム支持板２９、補強板３０及び付勢板３１によって磁気ヘッド部１００が構成される。
【００４４】
光学ピックアップ８とヘッド取付アーム２６とは、連結部材３５によって連結されている。連結部材３５は、水平方向に延びる下側取付部３６と該下側取付部３６の後縁から上方へ突出された中間部３７と該中間部３７の上縁から前方へ突出された上側取付部３８とが厚手の板状の金属材料によって一体に形成されて成る（図７参照）。
【００４５】
下側取付部３６の前縁には位置決め切欠３６ａが形成され、下側取付部３６の後端寄りの位置には位置決め孔３６ｂが形成されている。そして、下側取付部３６には、位置決め切欠３６ａと位置決め孔３６ｂの間の位置に、前後に離間してネジ挿通孔３６ｃ、３６ｃが形成されている。
【００４６】
上側取付部３８には、ヘッド取付アーム２６の被取付部２７に形成された調整孔２７ａ、２７ｂ、挿通孔２７ｃに対応する位置に調整孔３８ａ、３８ｂ、螺孔３８ｃが形成され、該調整孔３８ａ、３８ｂの径はヘッド取付アーム２６の調整孔２７ａの径と同じに形成され、螺孔３８ｃの径は挿通孔２７ｃの径より小さくされている。また、上側取付部３８の左右両側縁には、それぞれ外方へ突出された係合突部３８ｅ、３８ｅが形成されている。
【００４７】
光学ピックアップ８は移動ベース９の被取付部１２に形成された位置決め突部１２ａ、１２ａが、それぞれ連結部材３５の下側取付部３６に形成された位置決め切欠３６ａ、位置決め孔３６ｂに挿入されて連結部材３５に位置決めされる。そして、このように位置決めされた状態で、下側取付部３６の下方から取付ネジ３９、３９がネジ挿通孔３６ｃ、３６ｃを挿通され取付螺孔１２ｂ、１２ｂに螺合され、光学ピックアップ８が連結部材３５の下側取付部３６に取り付けられる（図５及び図９参照）。
【００４８】
光学ピックアップ８が連結部材３５の下側取付部３６に取り付けられた状態において、連結部材３５は中間部３７がシャーシ５の後縁の後側に位置される。
【００４９】
光学ピックアップ８が連結部材３５の下側取付部３６に取り付けられた状態において、連結部材３５の上側取付部３８の上面にヘッド取付アーム２６の被取付部２７を載置する。このとき、アーム支持板２９の被支持部２９ｃ、２９ｃの先端部が支持孔３８ｄ、３８ｄに対応して位置されるように、被取付部２７を上側取付部３８に載置する。
【００５０】
被取付部２７を上側取付部３８に載置した状態で、被取付部２７を付勢板３１によって上側から覆うようにして該付勢板３１を上側取付部３８と結合させる。付勢板３１の上側取付部３８への結合は、係合孔３４ａ、３４ａに係合突部３８ｅ、３８ｅを挿入して係合させることにより行う。このように係合孔３４ａ、３４ａに係合突部３８ｅ、３８ｅを係合させた状態においては、係合孔３４ａ、３４ａの前後方向の幅が係合突部３８ｅ、３８ｅのそれより稍大きくされているため、付勢板３１は上側取付部３８に対して前後方向へ移動させることが可能である。
【００５１】
このように付勢板３１を上側取付部３８に結合させた状態で、磁気ヘッド２５の対物レンズ１０ａに対する位置合わせを行うために、磁気ヘッド部１００の連結部材３５に対する取付位置の調整作業を行う。
【００５２】
この調整作業は連結部材３５の調整孔３８ａ、３８ｂの径より外径が小さい２本の調整軸を有する図示しない調整治具によって行う。そして、調整作業に際しては、取付ネジ４０を付勢板３１の中央の挿入孔３２ａ、補強板３０の挿通孔３０ｃ及びヘッド取付アーム２６の挿通孔２７ｃを順に上側から挿通し、連結部材３５の上側取付部３８の螺孔３８ｃに、付勢板３１、補強板３０及びヘッド取付アーム２６が上側取付部３８に対して移動可能なように螺合させた状態で行う。
【００５３】
調整作業は調整治具の一方の調整軸を付勢板３１の左側の挿入孔３２ａ、補強板３０の調整孔３０ａ、ヘッド取付アーム２６の調整孔２７ａ及び連結部材３５の調整孔３８ａを順に上側から挿通すると共に他方の調整軸を付勢板３１の右側の挿入孔３２ａ、補強板３０の調整孔３０ｂ、ヘッド取付アーム２６の調整孔２７ｂ及び連結部材３５の調整孔３８ｂを順に上側から挿通して行う。
【００５４】
このように２本の調整軸を挿通した状態においては、各孔間の大きさ又は形状の関係から、上側取付部３８に対して補強板３０が溶接されたヘッド取付アーム２６を移動させることが可能である。即ち、ヘッド取付アーム２６の調整孔２７ａ及び補強板３０の調整孔３０ａは、連結部材３５の調整孔３８ａと同じ径であるが長孔状に形成されているため、長孔状に形成されている分、ヘッド取付アーム２６及び補強板３０は連結部材３５の上側取付部３８に対して前後方向へ移動可能である。また、ヘッド取付アーム２６の調整孔２７ｂ及び補強板３０の調整孔３０ｂは、連結部材３５の調整孔３８ｂより径が小さくされているため、径が小さく形成されている分、ヘッド取付アーム２６及び補強板３０は連結部材３５の上側取付部３８に対して移動可能である。
【００５５】
従って、磁気ヘッド部１００の調整孔２７ａ、２７ｂ、３０ａ、３０ｂは、連結部材３５に対する磁気ヘッド部１００の取付位置を調整する調整部としての役割を果たす。
【００５６】
２本の調整軸の位置を連結部材３５の調整孔３８ａ、３８ｂ内において適宜に変更することにより、ヘッド取付アーム２６を上側取付部３８に対して回動させるように移動させ（図８に示すＢ）、また、ヘッド取付アーム２６を上側取付部３８に対して前後へ移動させることにより（図８及び図９に示すＣ）、光学ピックアップ８の対物レンズ１０ａを介して照射されるレーザー光の光路に対応する位置に磁気ヘッド部１００の磁気ヘッド２５が配置されるように対物レンズ１０ａと磁気ヘッド２５との位置合わせを行う。尚、この調整作業中に付勢部材３１は上側取付部３８に対して移動可能であるが、付勢部材３１の上側取付部３８に対する位置は対物レンズ１０ａに対する磁気ヘッド２５の位置に影響しないため、付勢部材３１の移動によって位置合わせ作業に支障を生じることはない。
【００５７】
そして、対物レンズ１０ａに対する磁気ヘッド２５の位置合わせが完了したときに、再度取付ネジ４０を上側取付部３８の螺孔３８ｃに螺合して付勢板３１、補強板３０及びヘッド取付アーム２６を連結部材３５の上側取付部３８に固定し、これにより調整作業を完了する。
【００５８】
以上に記載した通り、光磁気ディスク記録装置１にあっては、対物レンズ１０ａに対する磁気ヘッド２５の位置合わせを行うための調整作業を、連結部材３５と光学ピックアップ８とを予め結合させた状態で行うため、調整作業に際し連結部材３５をシャーシ５の後縁と外筐２との間で前後方向へ移動させる必要がない。
【００５９】
従って、その分、シャーシ５を外筐２に近づけて配置させることができ、光磁気ディスク記録装置１の小型化を図ることができる。
【００６０】
尚、上記した実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【００６１】
以上に記載したところから明らかなように、本発明ディスク記録装置は、シャーシに所定の方向へ移動自在に支持されると共に対物レンズを有する光学ピックアップと、前記シャーシの外縁の外側に配置された中間部と前記中間部の上縁から前方へ突出された上側取付部とからなり、一端部に前記光学ピックアップが取り付けられ、一対の第１の調整孔（３８ａ、３８ｂ）を有する連結部材と、ヘッド取付アームの一端部に取り付けられた磁気ヘッド、及び、前記連結部材の他端部に取り付けられ前記シャーシを挟んで前記光学ピックアップの反対側に対向して配置され、前記対物レンズと前記磁気ヘッドとの位置合わせを行う前記連結部材に対する前記磁気ヘッドの取付位置を調整する調整部を有する磁気ヘッド部とを備え、前記調整部は、前記第１の調整孔と同じ径である長孔状の第２の調整孔（２７ａ、３０ａ）と前記第１の調整孔より径が小さい第３の調整孔（２７ｂ、３０ｂ）を有し、前記第２の調整孔及び前記第３の調整孔によってそれぞれ規定される２本の調整軸の位置を前記一対の第１の調整孔内において変更して前記ヘッド取付アームを前記上側取付部に対して回動させて移動させるように、かつ、前記ヘッド取付アームを前記上側取付部に対して前後に移動させるようにして前記連結部材に対する前記磁気ヘッドの取付位置を調整することを特徴とする。
【００６２】
従って、調整作業に際し連結部材をシャーシの外側において移動させる必要がないため、シャーシを外筐に近づけて配置させることができ、ディスク記録装置の小型化を図ることができる。
【００６３】
また、本発明磁気ヘッド駆動機構は、シャーシに所定の方向へ移動自在に支持され対物レンズを有する光学ピックアップが一端部に取り付けられると共に、前記シャーシの外縁の外側に配置された中間部と前記中間部の上縁から前方へ突出された上側取付部とからなり、一端部に前記光学ピックアップが取り付けられ、一対の第１の調整孔（３８ａ、３８ｂ）を有する連結部材と、ヘッド取付アームの一端部に取り付けられた磁気ヘッド、及び、前記連結部材の他端部に取り付けられ前記シャーシを挟んで前記光学ピックアップの反対側に対向して配置され、前記対物レンズと前記磁気ヘッドとの位置合わせを行う前記連結部材に対する前記磁気ヘッドの取付位置を調整する調整部を有する磁気ヘッド部とを備え、前記調整部は、前記第１の調整孔と同じ径である長孔状の第２の調整孔（２７ａ、３０ａ）と前記第１の調整孔より径が小さい第３の調整孔（２７ｂ、３０ｂ）を有し、前記第２の調整孔及び前記第３の調整孔によってそれぞれ規定される２本の調整軸の位置を前記一対の第１の調整孔内において変更して前記ヘッド取付アームを前記上側取付部に対して回動させて移動させるように、かつ、前記ヘッド取付アームを前記上側取付部に対して前後に移動させるようにして前記連結部材に対する前記磁気ヘッドの取付位置を調整することを特徴とする。
【００６４】
従って、調整作業に際し連結部材をシャーシの外側において移動させる必要がないため、シャーシを磁気ヘッド駆動機構が設けられる装置の外筐に近づけて配置させることができ、当該装置の小型化を図ることができる。
【図面の簡単な説明】
【図１】図２乃至図９と共に本発明の実施の形態を示すものであり、本図は本発明を適用した光磁気ディスク記録装置の概略斜視図である。
【図２】光磁気ディスクの内部の構造を示す概略平面図である。
【図３】光磁気ディスクの内部の構造を示す概略底面図である。
【図４】軸受部材と該軸受部材に支持されたリードスクリューとを示す拡大底面図である。
【図５】光磁気ディスクの内部の構造を示す概略側面図である。
【図６】磁気ヘッド部が連結部材に取り付けられた状態を示す概略拡大斜視図である。
【図７】連結部材と該連結部材に取り付けられる各部材とを示す拡大分解斜視図である。
【図８】磁気ヘッド部の位置合わせのための調整作業を説明する概略拡大平面図である。
【図９】磁気ヘッド部の位置合わせのための調整作業を説明する概略側面図である。
【図１０】従来の磁気ヘッド部の位置合わせ調整を説明する概略側面図である。
【符号の説明】
１…光磁気ディスク記録装置（ディスク記録装置）、５…シャーシ、８…光学ピックアップ、１０ａ…対物レンズ、２７ａ…調整孔（調整部）、２７ｂ…調整孔（調整部）、３０ａ…調整孔（調整部）、３０ｂ…調整孔（調整部）、３５…連結部材、３６…下側取付部（一端部）、３７…中間部、３８…上側取付部（他端部）、１００…磁気ヘッド部
【図１】
0004273376.tif 000002
【図２】
0004273376.tif 000003
【図３】
0004273376.tif 000004
【図４】
0004273376.tif 000005
【図５】
0004273376.tif 000006
【図６】
0004273376.tif 000007
【図７】
0004273376.tif 000008
【図８】
0004273376.tif 000009
【図９】
0004273376.tif 000010
【図１０】
0004273376.tif 000011